(57)【特許請求の範囲】
【請求項１】
生ゴミ処理槽に回転自在に設けた回転軸に攪拌羽根を取り付け、上記攪拌羽根が生ゴミ処理槽内に充填した生ゴミ処理材と生ゴミ処理槽内に投入した生ゴミとを攪拌させ、上記生ゴミ処理材に生息した微生物により生ゴミを分解処理させるようにし、生ゴミ処理槽内で分解処理されにくい生ゴミや余剰の生ゴミ処理材を生ゴミ処理槽外に排出するオーバーフロー口を備えると共に、このオーバーフロー口を生ゴミ処理槽の側壁面の上部に貫通させた短辺と長辺とを有した矩形状孔で構成し、生ゴミ処理槽内で一体に回転する複数の可動刃を間隔を隔てて重ねるように回転軸に取り付け、回転した可動刃との間に生ゴミを挟んで破砕する複数の固定刃を間隔を隔てて重ねるように生ゴミ処理槽の内面に固定し、隣接する可動刃間若しくは隣接する固定刃間の隙間寸法をオーバーフロー口の開口幅の最小寸法となる上記短辺の長さよりも小さく形成したことを特徴とする生ゴミ処理装置。
【請求項２】
可動刃の回転軌跡である回転面に対して直交する方向から見て、固定刃に対する可動刃の刃部を外側程先行して回転するように固定刃に対して凹曲面状に形成したことを特徴とする請求項１に記載の生ゴミ処理装置。
【請求項３】
可動刃の形状を、回転軸近傍及び外側端部近傍の部分が同方向に突出すると共に回転軸近傍と外側端部近傍との間の部分が凹むような弓板状に形成し、正逆回転自在に設けた回転軸を正回転で回転させたときには可動刃の凹曲面状の縁部分が固定刃に対面するようにし、上記正回転の作動頻度を逆回転の作動頻度に比べて多くしたことを特徴とする請求項２に記載の生ゴミ処理装置。
【請求項４】
複数個のオーバーフロー口を生ゴミ処理槽の異なる高さ位置に設けたことを特徴とする請求項１に記載の生ゴミ処理装置。
【請求項５】
生ゴミ処理槽を開閉する蓋と、上記蓋による生ゴミ処理槽の閉塞を検知する蓋感知手段とを設け、上記蓋感知手段が蓋の生ゴミ処理槽の閉塞を検知したときから一定時間生ゴミの破砕頻度を多くさせる制御手段を設けたことを特徴とする請求項１に記載の生ゴミ処理装置。
【請求項６】
回転軸を駆動させる駆動モータにかかる過負荷を検出する過負荷検出手段を設け、上記過負荷検出手段が検出する駆動モータの過負荷状態の一定時間内での頻度に応じて生ゴミの破砕頻度を設定する制御手段を設けたことを特徴とする請求項１に記載の生ゴミ処理装置。
【請求項７】
攪拌羽根及び可動刃の回転軌跡である回転面に対して直交する方向から見て、重ならないように攪拌羽根と可動刃とを回転軸の軸周にずらして配置したことを特徴とする請求項１に記載の生ゴミ処理装置。
【請求項８】
攪拌羽根及び可動刃の回転軌跡である回転面に対して直交する方向から見て、可動刃に隣接して設けた攪拌羽根を可動刃に先んじて回転するように回転軸の軸周にずらして配置したことを特徴とする請求項１に記載の生ゴミ処理装置。
【発明の詳細な説明】
【０００１】
【発明の属する技術分野】
本発明は、生ゴミ処理槽内に投入した生ゴミを生ゴミ処理槽内に充填した生ゴミ処理材により分解処理させる生ゴミ処理装置に関する発明である。
【０００２】
【従来の技術】
従来から、バイオチップと称する木質細片を生ゴミ処理材として生ゴミ処理槽１内に充填し、生ゴミ処理槽１内に生ゴミを投入し、生ゴミ処理材に生息する微生物の働きで生ゴミを分解処理させる生ゴミ処理装置にあっては、装置の使用頻度により生ゴミ処理槽１内の生ゴミ処理材のかさが増えてしまい、生ゴミ処理能力が劣化してしまうものであるが、この生ゴミ処理能力の劣化を防止するために、生ゴミ処理槽１内の生ゴミ処理材の量を一定量にすると共に、余剰の生ゴミ処理材を手作業によらず自動的に回収できる機構を備えたものとして特開２０００-２０２４０３号（図８）が知られている。この生ゴミ処理装置は、生ゴミ処理槽１の上部に余剰の生ゴミ処理材を生ゴミ処理槽１外に排出させるオーバーフロー口４を備えると共に、上記生ゴミ処理槽１の下部に上記オーバーフロー口４を介して生ゴミ処理槽１外に排出された余剰の生ゴミ処理材を収納する受け具１４を備えたものである。
【０００３】
【発明が解決しようとする課題】
ところが、上述した生ゴミ処理装置では、オーバーフロー口４の開口寸法の大きさが問題になる。つまり、オーバーフロー口４の開口寸法を小さくした場合には、生ゴミ処理槽１内に投入された生ゴミが微生物により分解処理される前にオーバーフロー口４から排出されてしまうことを防止できるものであるが、例えばスイカの皮等の主に繊維質で形成される生ゴミのように、生ゴミ処理材に生息した微生物によって完全に分解処理させることは難しく且つオーバーフロー口４の開口寸法よりも大きい形状を有する生ゴミにあっては、オーバーフロー口４から生ゴミ処理槽１外に排出させることができずに生ゴミ処理槽１内に残留してしまうものであり、生ゴミの分解処理の処理効率を悪化させてしまうものである。一方、オーバーフロー口４の開口寸法を大きくした場合には、生ゴミ処理材に生息した微生物によって完全に分解処理させることは難しいと共に比較的大きな形状を有する生ゴミをオーバーフロー口４から生ゴミ処理槽１外に排出させることはできるものの、生ゴミ処理槽１内に投入した直後の生ゴミも微生物による分解処理を待たずして同時に生ゴミ処理槽１外に排出してしまう、といった問題が生じてしまうものである。
【０００４】
本発明は上記の点に鑑みてなされたものであり、微生物によって分解処理させるには難しく且つ比較的大きな形状を有する生ゴミを生ゴミ処理槽内に残留させないようにした生ゴミ処理装置を提供することを課題とするものである。
【０００５】
【課題を解決するための手段】
上記課題を解決するために本発明の請求項１に係る生ゴミ処理装置は、生ゴミ処理槽１に回転自在に設けた回転軸２に攪拌羽根３を取り付け、上記攪拌羽根３が生ゴミ処理槽１内に充填した生ゴミ処理材と生ゴミ処理槽１内に投入した生ゴミとを攪拌させ、上記生ゴミ処理材に生息した微生物により生ゴミを分解処理させるようにし、生ゴミ処理槽１内で分解処理されにくい生ゴミや余剰の生ゴミ処理材を生ゴミ処理槽１外に排出するオーバーフロー口４を備えると共に、このオーバーフロー口４を生ゴミ処理槽１の側壁面１ｃの上部に貫通させた短辺と長辺とを有した矩形状孔で構成し、生ゴミ処理槽１内で一体に回転する複数の可動刃５を間隔を隔てて重ねるように回転軸２に取り付け、回転した可動刃５との間に生ゴミを挟んで破砕する複数の固定刃６を間隔を隔てて重ねるように生ゴミ処理槽１の内面に固定し、隣接する可動刃５間若しくは隣接する固定刃６間の隙間寸法をオーバーフロー口４の開口幅の最小寸法となる上記短辺の長さＬ１よりも小さく形成したことを特徴とする。これにより、間隔を隔てて重ねて配置される可動刃５若しくは固定刃６の隙間寸法が、短辺と長辺とを有した矩形状孔で構成したオーバーフロー口４の開口幅の最小寸法となる上記短辺の長さＬ１よりも小さく形成されたので、微生物の働きで分解処理させるには難しく且つ比較的大きな形状を有する生ゴミを上記可動刃５及び固定刃６でオーバーフロー口４の開口幅の最小寸法となる上記短辺の長さＬ１よりも小さい寸法に破砕できることから、上記微生物により分解処理させるには難しく且つ比較的大きな形状を有する生ゴミをオーバーフロー口４から生ゴミ処理槽１外に排出させ、生ゴミ処理槽１内に残留させないようにできる。
【０００６】
また、請求項２に係る生ゴミ処理装置は、請求項１において可動刃５の回転軌跡である回転面に対して直交する方向から見て、固定刃６に対する可動刃５の刃部５ａを外側程先行して回転するように固定刃６に対して凹曲面状に形成したことを特徴とする。これにより、先行して回転する可動刃５の刃部５ａの外側部分が生ゴミ処理材中に混在する生ゴミを引掛けて捕らえると共に、上記捕らえた生ゴミを凹曲面状の刃部５ａに沿わせて回転軸２方向に引き寄せて収集でき、すなわち多量の生ゴミを固定刃６との間に収集して効率よく破砕させることができる。
【０００７】
また、請求項３に係る生ゴミ処理装置は、請求項２において、可動刃５の形状を、回転軸２近傍及び外側端部近傍の部分が同方向に突出すると共に回転軸２近傍と外側端部近傍との間の部分が凹むような弓板状に形成し、正逆回転自在に設けた回転軸２を正回転で回転させたときには可動刃５の凹曲面状の縁部分が固定刃６に対面するようにし、上記正回転の作動頻度を逆回転の作動頻度に比べて多くしたことを特徴とする。これにより、正方向に回転する可動刃５は凹曲面状の縁部分が固定刃６に対面するように回転するから、多量の生ゴミを収集して固定刃６との間で効率よく破砕できるものであり、そして、生ゴミ処理装置の作動中に正回転の作動頻度を多くすることは、可動刃５と固定刃６による生ゴミの効率よい破砕を多い頻度で行わせることができるものであり、生ゴミ処理装置の作動効率を向上させることができる。
【０００８】
また、請求項４に係る生ゴミ処理装置は、請求項１において、複数個のオーバーフロー口４を生ゴミ処理槽１の異なる高さ位置に設けたことを特徴とする。これにより、攪拌羽根３により攪拌される生ゴミ処理材は攪拌羽根３の回転方向によって生ゴミ処理槽１内で盛り上がり等の偏りが生じるものであるが、複数個のオーバーフロー口４を生ゴミ処理槽１の異なる高さ位置に設けたので、上記偏った状態の生ゴミ処理材に合わせてオーバーフロー口４を臨ませることができ、オーバーフロー口４から効率よく余剰の生ゴミ処理材等を生ゴミ処理槽１外に排出させることができる。
【０００９】
また、請求項５に係る生ゴミ処理装置は、請求項１において、生ゴミ処理槽１を開閉する蓋８と、上記蓋８による生ゴミ処理槽１の閉塞を検知する蓋感知手段とを設け、上記蓋感知手段が蓋８の生ゴミ処理槽１の閉塞を検知したときから一定時間生ゴミの破砕頻度を多くさせる制御手段を設けたことを特徴とする。これにより、生ゴミ処理槽１に生ゴミを投入した直後に集中して生ゴミの破砕を行わせることができ、すなわち未だ形状が大きいであろう生ゴミを集中的に破砕させることができ、生ゴミ処理装置の作動効率を向上させることができる。
【００１０】
また、請求項６に係る生ゴミ処理装置は、請求項１において、回転軸２を駆動させる駆動モータ７にかかる過負荷を検出する過負荷検出手段を設け、上記過負荷検出手段が検出する駆動モータ７の過負荷状態の一定時間内での頻度に応じて生ゴミの破砕頻度を設定する制御手段を設けたことを特徴とする。これにより、駆動モータ７の過負荷はすなわち可動刃５及び固定刃６の間で生ゴミが破砕されたときに発生するものであり、そして上記駆動モータ７の過負荷の頻度が多い場合は生ゴミ処理槽１内に形状の大きな生ゴミが多数残っていることを示すものであるから、制御手段で過負荷検出手段が検出する駆動モータ７の過負荷状態の一定時間内での頻度に応じて生ゴミの破砕頻度を設定することは、生ゴミ処理槽１内の形状の大きな生ゴミの残留状態に基いて生ゴミ処理装置を作動させて効率よく生ゴミの破砕を行わせることができるものであり、つまり生ゴミ処理装置の作動効率が向上するものである。
【００１１】
また、請求項７に係る生ゴミ処理装置は、請求項１において、攪拌羽根３及び可動刃５の回転軌跡である回転面に対して直交する方向から見て、重ならないように攪拌羽根３と可動刃５とを回転軸２の軸周にずらして配置したことを特徴とする。これにより、生ゴミ処理槽１内の生ゴミ処理材や生ゴミから受ける回転軸２への回転負荷を分散して回転軸２に負荷させることができ、回転軸２を回転させるのに必要な駆動モータ７のトルクの最大値を低減化させることができるものである。
【００１２】
また、請求項８に係る生ゴミ処理装置は、請求項１において、攪拌羽根３及び可動刃５の回転軌跡である回転面に対して直交する方向から見て、可動刃５に隣接して設けた攪拌羽根３を可動刃５に先んじて回転するように回転軸２の軸周にずらして配置したことを特徴とする。これにより、攪拌羽根３が通って密度が疎の状態になった生ゴミ処理材中に可動刃５を通して回転させることができ、可動刃５にかかる回転負荷を低減させることができる。
【００１３】
【発明の実施の形態】
以下、本発明を添付図面に示す実施形態に基づいて説明する。
【００１４】
図１乃至図５に本発明の実施の形態の例を示す。生ゴミ処理装置は、ハウジング１０内に上方に開口した生ゴミ処理槽１を内装し、ハウジング１０内に内装した駆動モータ７の駆動により回転する回転軸２を生ゴミ処理槽１内に回転自在に設け、この回転軸２に攪拌羽根３及び可動刃５を取り付けると共に、上記可動刃５との間で生ゴミを挟んで破砕する固定刃６を生ゴミ処理槽１の内面に固定し、生ゴミ処理槽１の下方位置のハウジング１０内に受け具１４を配置して構成されるものであり、微生物が生息したバイオチップと称されるおが屑状の木質細片のような担体よりなる生ゴミ処理材を生ゴミ処理槽１内に入れ、上記生ゴミ処理材を充填させた生ゴミ処理槽１内に生ゴミを投入し、上記生ゴミ処理材に生息した微生物の働きで生ゴミを発酵させて分解処理させるといった処理を行う装置である。なお、この生ゴミ処理材としては例えば従来から公知の木質細片（例えば、特開平２−１０３９８号，特開平２−３０７０６号、実開平３−２２３８５号）が使用できる。以下、詳述する。
【００１５】
生ゴミ処理槽１は、下方に凹んだ円弧面状の底面１ａを有し、底面１ａからなだらかに連続して略垂直に立設する側面１ｂと底面１ａの端面から略垂直に立設した側壁面１ｃとで上記底面１ａを囲うようにして下方に凸のかまぼこ型に形成されると共に上方に開口した合成樹脂やステンレス等の耐食性材料で形成された函体である。対向する両側壁面１ｃ，１ｃにはそれぞれ軸受１１が設けられ、上記軸受１１に回転軸２が枢支されて生ゴミ処理槽１内に回転自在に回転軸２が設けられている。つまり、回転軸２は両側壁面１ｃ，１ｃ間に亙るように配置されており、底面１ａの円弧面は上記回転軸２の軸周面に対して略平行になるように形成されている。この生ゴミ処理槽１は、投入口９の役割を有する開口をハウジング１０の上面に臨ませるように配置されており、ハウジング１０の上面に開閉自在に設けた蓋８で上記開口は開閉されるようになっている。なお、この蓋８の投入口９の開閉は、蓋８が投入口９を閉塞した際に載置されるハウジング１０の上面に設けた蓋感知手段である蓋感知センサー１２により感知されるようになっている。また、ハウジング１０内には上記蓋感知センサー１２に接続されて生ゴミ処理装置の運転制御を行う制御手段である制御部１３が内装されている。
【００１６】
また、上記生ゴミ処理槽１の一方の側壁面１ｃの上部には、生ゴミ処理槽１内で微生物により分解処理されにくい生ゴミや余剰の生ゴミ処理材を生ゴミ処理槽１外に排出させるオーバーフロー口４を設けている。具体的にはこのオーバーフロー口４は上記側壁面１ｃを貫通させた開口であり、上記生ゴミ処理槽１の下部に配した受け具１４に連通するようにハウジング１０内に設けた導入路１５と、生ゴミ処理槽１内とを連通させている。本例では、１対のオーバーフロー口４が同高さ位置に設けられており、図４に示すように、オーバーフロー口４は縦に短辺を有すると共に横に長辺を有した矩形状孔で構成されている。横の長辺はＬ２の長さを有し、縦の短辺はＬ１の長さを有しており、すなわち、オーバーフロー口４の開口幅の最小寸法は縦の短辺の長さＬ１である。
【００１７】
また、上記生ゴミ処理槽１の側面１ｂには複数個の固定刃６が取り付けられている。この固定刃６は、帯状平板を長手方向の途中で略直角に捩って形成されたものであり、つまり基端部分を構成する取付部分６ｂでは平板面が略上方に面するように向いていると共に、先端部分を構成する可動刃５に対する部分６ｃでは平板面が略水平方向に面するように向いているのである。なお、固定刃６の可動刃５に対する部分６ｃでは上下方向に向いた平板の両平板縁にそれぞれ刃部６ａが設けられている。この固定刃６を生ゴミ処理槽１内に配置するにあたっては、取付部分６ｂの平板面を生ゴミ処理槽１の側面１ｂに沿わせて取り付けると共に、刃部６ａを有する可動刃５に対する部分６ｃを回転軸２に近接させるようにして配置される。なお、固定刃６は生ゴミ処理槽１内に複数個（本例では３つ）配置されるものであるが、これは、生ゴミ処理槽１の両側壁面１ｃ，１ｃ間の中央部分において、複数個の固定刃６を両側壁面１ｃ，１ｃ間を結ぶ方向に間隔を隔てて重ねるようにして配置されるものである。ここで、隣接する固定刃６間の隙間寸法（各固定刃６の可動刃５に対する部分６ｃにおける板面間の寸法）Ｌ３は、オーバーフロー口４の開口幅の最小寸法Ｌ１よりも小さい寸法に形成されるものである。
【００１８】
上記生ゴミ処理槽１の両側壁面１ｃ，１ｃ間に回転自在に配置された回転軸２には、上述したように複数個の可動刃５及び複数個の攪拌羽根３が取り付けられるが、複数個の可動刃５は回転軸２のうち生ゴミ処理槽１の両側壁面１ｃ，１ｃ間の中央に位置する部分に取り付けられ、また、複数個の攪拌羽根３は回転軸２のうち可動刃５の両端近傍部分及び生ゴミ処理槽１の両側壁面１ｃ，１ｃの近傍部分にそれぞれ取り付けられるものである。
【００１９】
ここで、可動刃５は、その形状を回転軸２近傍及び外側端部近傍の部分が同方向に突出すると共に回転軸２近傍と外側端部近傍との間の部分が凹むような弓板状に形成しているものであり、その円弧曲面状の両縁部分にはそれぞれ刃部５ａが設けられている。この可動刃５を回転軸２に取り付けるにあたっては、回転した可動刃５がその回転軌跡である回転面が回転軸２の軸心に対して直交する方向に形成されると共に、上記回転面が固定刃６間の隙間に位置されるように、回転軸２の直径方向に突出させるように取り付けられる。なお、可動刃５は回転軸２に複数個（本例では２つ）取り付けされるものであるが、これは、生ゴミ処理槽１の両側壁面１ｃ，１ｃ間の中央部分において、複数個の可動刃５を生ゴミ処理槽１の両側壁面１ｃ，１ｃ間を結ぶ方向に間隔を隔てて重ねるようにして配置されるものである。ここで、隣接する可動刃５間の隙間寸法Ｌ４は、オーバーフロー口４の開口幅の最小寸法Ｌ１よりも小さい寸法に形成されるものである。
【００２０】
また、攪拌羽根３は、その形状は特に限定されるものではないが、本例では、矩形板の中央部分を長手方向に亙って屈曲させるようにして形成できる断面く字状の板材を用いて構成している。そして、この攪拌羽根３を回転軸２に取り付けるにあたっては、可動刃５同様に回転軸２の直径方向に突出させると共に、断面く字状の角部３ａを生ゴミ処理槽１の両側壁面１ｃ，１ｃ間の中央方向に突出させるように取り付けられる。なお、攪拌羽根３は回転軸２に複数個（本例では４つ）取り付けされるものであるが、これは、攪拌羽根３の回転軌跡である回転面に対して直交方向から見て各攪拌羽根３が重ならないように、複数の攪拌羽根３が回転軸２の軸周に均等にずらすようにして取り付けられている。本例では、４つの攪拌羽根３が回転軸２の軸周にそれぞれ９０°ずらした位置から回転軸２の直径方向にそれぞれ突出するように配置されている。詳述すると、可動刃５の両端近傍に配置した２つの攪拌羽根３にあっては、一方の攪拌羽根３が回転軸２の軸周において可動刃５と略同方向に突出し、他方の攪拌羽根３が上記一方の攪拌羽根３に対して１８０°ずれた方向に突出しており、また、生ゴミ処理槽１の側壁近傍に配置した２つの攪拌羽根３にあっては、上記可動刃５の両端近傍に配置した２つの攪拌羽根３に対して９０°ずれた方向で且つ一方の攪拌羽根３が他方の攪拌羽根３に対して１８０°ずれた方向に突出しているものである。
【００２１】
また、上記可動刃５及び攪拌羽根３を取り付けた回転軸２にあっては、駆動モータ７が正・逆方向にそれぞれ回転することで、正方向（矢印Ａ）・逆方向（矢印Ｂ）にそれぞれ回転するようになっている。ここで、回転軸２が正方向に回転した際には（矢印Ａ）、可動刃５は外側程先行するように回転し、つまり、可動刃５の回転面に対して直交する方向から見て、可動刃５の縁部分である刃部５ａが固定刃６に対して凹曲面で対面するように回転するようにしてある。
【００２２】
このような構成を有した生ゴミ処理装置にあっては、上述したように、生ゴミ処理槽１にその投入口９から生ゴミ処理材を入れると共に、処理したい生ゴミを投入し、生ゴミ処理材に生息した微生物の働きで生ゴミを分解処理させるものであるが、所定時間駆動モータ７により回転軸２を回転させることで、攪拌羽根３によって生ゴミ処理槽１内にある生ゴミ処理材及び生ゴミの攪拌が行われ、また、固定刃６と可動刃５との間で生ゴミの破砕が行われるものである。攪拌羽根３による生ゴミ処理材及び生ゴミの攪拌は、生ゴミ処理材内に空気を混入させ、生ゴミ処理材に生息した微生物の働きを活発化させて生ゴミの分解処理を促進させることができ、また、固定刃６と可動刃５との間で行われる生ゴミの破砕は、生ゴミの形状を小さくさせ、生ゴミと生ゴミ処理材との接触面積を大きくさせて生ゴミの分解処理を促進させることができるのである。
【００２３】
ここで、攪拌羽根３にあっては、生ゴミ処理槽１内を回転して生ゴミ処理材や生ゴミを攪拌するにあたり上記生ゴミ処理材や生ゴミから回転負荷を受け、すなわち回転軸２に回転負荷がかかるものであるが、上述したように回転軸２に取り付けた複数個の攪拌羽根３は回転面に対して直交する方向から見て重ならないように回転軸２の軸周にずらして配置してあることから、生ゴミ処理材や生ゴミから回転軸２にかかる回転負荷を分散して負荷させるようにしているものである。同様に、可動刃５及び攪拌羽根３の回転軸２への配置状態も、可動刃５の形状が弓板状で攪拌羽根３の形状が直線板状であることで、可動刃５及び攪拌羽根３の回転面に対して直交する方向から見て、可動刃５の外端部分と攪拌羽根３の外端部分とが重ならないようになっていることから、これによっても、生ゴミ処理材や生ゴミから回転軸２にかかる回転負荷を分散して負荷させるようにしているものである。つまり、回転負荷を分散して回転軸２にかけることで、回転軸２を回転させるのに必要な駆動モータ７の最大トルクの低減化を図ることができるのである。また、上記攪拌羽根３は、断面く字状の角部３ａを生ゴミ処理槽１の両側壁面１ｃ，１ｃ間の中央方向に突出させるように回転軸２に配置されていることから、可動刃５及び固定刃６が位置する生ゴミ処理槽１の両側壁面１ｃ，１ｃ間の中央部分に生ゴミ処理材や生ゴミを集めるように攪拌させることができ、つまり、生ゴミの固定刃６及び可動刃５への収集に資することから、固定刃６及び可動刃５による生ゴミの破砕効率の向上が図られているのである。
【００２４】
また、回転軸２は正逆両方向に回転でき、これは攪拌羽根３による生ゴミ処理材の攪拌をより効果的に行って生ゴミの分解処理を促進させるといった利点があるものであるが、特に、回転軸２を正方向に回転させた場合には、可動刃５の刃５ａを構成する縁部分が固定刃６に対して凹曲面状に対面するように可動刃５が回転することから、正方向に回転する可動刃５にあっては、先行して回転する可動刃５の刃部５ａの外側部分が生ゴミ処理材中に混在する生ゴミを引掛けて捕らえると共に、上記捕らえた生ゴミを凹曲面状の刃部５ａに沿わせて回転軸２方向に引き寄せて収集でき、すなわち多量の生ゴミを固定刃６との間に収集して効率よく破砕させることができるのである。
【００２５】
そして、本例の生ゴミ処理装置にあっては、制御部１３により運転制御が行われるものであるが、上記制御部１３では、駆動モータ７における正回転の作動頻度を逆回転の作動頻度に比べて多くするような運転制御を行わせている。これにより、上述したように回転軸２を正方向に回転させると、回転する可動刃５が多量の生ゴミを収集して固定刃６との間で効率よく破砕できるものであり、つまり生ゴミ処理装置の作動中に正回転の作動頻度を多くすることは、可動刃５と固定刃６による生ゴミの効率よい破砕を多い頻度で行わせることができて、生ゴミ処理装置の作動効率を向上させているのである。また、上記制御部１３では、生ゴミ処理槽１内に生ゴミを投入した後に投入口９を蓋８で閉めたことを蓋感知センサー１２が感知したときから一定時間生ゴミの破砕頻度を多くさせるような運転制御を行わせている。上記生ゴミの破砕頻度を多くさせるような運転制御とは、例えば、駆動モータ７の出力を上げて回転軸の回転数を上げたり、上述したように回転軸を正回転させる割合を増やしたりして行われる。これにより、生ゴミ処理槽１に生ゴミを投入した直後に集中して生ゴミの破砕を行わせることができ、すなわち未だ形状が大きいであろう生ゴミを集中的に破砕させることができることから、生ゴミ処理装置の作動効率の向上が図られているのである。
【００２６】
このように、本例の生ゴミ処理装置にあっては、生ゴミ処理槽１内で、攪拌羽根３により生ゴミ処理材や生ゴミが攪拌されると共に、可動刃５及び固定刃６により生ゴミが破砕され、効率を高めて生ゴミの生ゴミ処理材に生息する微生物の働きによる分解処理が行われている。なお、使用頻度により生ゴミ処理材は生ゴミ処理槽１内にかさを大きくして溜まるものであるが、余剰の生ゴミ処理材はオーバーフロー口４から生ゴミ処理槽１外に排出され、導入路１５を介して受け具１４に収納されるようになっている。
【００２７】
ここで、生ゴミ処理槽１内に投入された生ゴミのなかに、例えばスイカの皮等の主に繊維質で形成される生ゴミのように生ゴミ処理材に生息する微生物の働きによって完全に分解処理させることは難しく且つオーバーフロー口４の開口寸法よりも大きい形状を有する生ゴミがあっても、本例の生ゴミ処理装置にあっては、他の生ゴミと同様に可動刃５及び固定刃６で破砕されるものである。このとき、隣接する可動刃５間及び隣接する固定刃６間の隙間寸法Ｌ３，Ｌ４がオーバーフロー口４の開口幅の最小寸法Ｌ１よりも小さく形成されていることから、上記生ゴミ処理材に生息する微生物の働きによって完全に分解処理させることは難しく且つオーバーフロー口４の開口寸法よりも大きい形状を有する生ゴミも、固定刃６及び可動刃５によってオーバーフロー口４の開口幅の最小寸法Ｌ１よりも小さく破砕されるものである。しかして、本例の生ゴミ処理装置にあっては、上記生ゴミ処理材に生息する微生物の働きによって完全に分解処理させることは難しく且つオーバーフロー口４の開口寸法よりも大きい形状を有する生ゴミは、余剰の生ゴミ処理材と共にオーバーフロー口４から生ゴミ処理槽１外に排出されると共に、導入路１５を介して受け具１４に収納されるものである。すなわち、従来技術で挙げた生ゴミ処理装置のように、上記生ゴミ処理材に生息する微生物の働きによって完全に分解処理させることは難しく且つオーバーフロー口４の開口寸法よりも大きい形状を有する生ゴミが、恒久的に生ゴミ処理槽１内に残留するようなことはないのである。このように、本例の生ゴミ処理装置にあっては、上記微生物によって完全に分解処理することは難しいと共にオーバーフロー口４の開口寸法よりも大きい形状を有した生ゴミが生ゴミ処理槽１内に残留することによって引き起こされる生ゴミ処理能力の低下を防止しているのである。なお、重ねて配置する可動刃５若しくは固定刃６の隙間寸法をオーバーフロー口４の開口幅の最小寸法より小さく形成することでも、微生物によって完全に分解処理することは難しいと共にオーバーフロー口４の開口寸法よりも大きい形状を有した生ゴミはオーバーフロー口４の開口幅の最小寸法より小さくされるものであり、上記生ゴミが生ゴミ処理槽１内に残留することによって引き起こされる生ゴミ処理能力の低下を防止できるものである。
【００２８】
また、図示はしていないが、可動刃５に隣接して配置した攪拌羽根３が可動刃５に先んじて回転するように、可動刃５から回転軸２の軸周にずらして攪拌羽根３を配置することも好ましいものである。つまり、これは、可動刃５及び攪拌羽根３の回転面に直交する方向から見て、弓板状の可動刃５の先端と回転軸とを結ぶ線の近傍位置に可動刃５に隣接して配置した攪拌羽根３が位置されるように配置することである。このようにすると、攪拌羽根３が通って密度が疎の状態になった生ゴミ処理材中に可動刃５を通して回転させることができ、可動刃５にかかる回転負荷を低減させることができるものである。また、駆動モータ７にかかる過負荷を検出する過負荷検出手段を設けて制御部１３に接続し、上記制御部１３で過負荷検出手段が検出する駆動モータ７の過負荷状態の一定時間内での頻度に応じて生ゴミの破砕頻度を設定するような運転制御を行わせることも好ましいものである。つまり、駆動モータ７の過負荷状態は可動刃５及び固定刃６の間で生ゴミが破砕されたときに発生するものであり、そして上記駆動モータ７の過負荷の頻度が多い場合は生ゴミ処理槽１内に形状の大きな生ゴミが多数残っていることを示すものであるから、上記駆動モータ７の過負荷状態の一定時間内での頻度に応じて生ゴミの破砕頻度を設定するような運転制御は、生ゴミ処理槽１内の形状の大きな生ゴミの残留状態に基いた生ゴミ処理装置の作動を意味するものであり、これにより、効率的に生ゴミ処理装置を作動させることができるのである。なお、上記生ゴミの破砕頻度を設定するような運転制御は、例えば、駆動モータ７の出力を変化させて回転軸の回転数に変化をつけたり、回転軸の正回転の割合を変化させたり、回転軸の回転作動時間に変化をつけたりして行われる。
【００２９】
また、図６及び図７に本発明の実施の形態の他例を示す。この例は、先の実施の形態の例のオーバーフロー口４の配置位置を変化させた例である。すなわち、複数個のオーバーフロー口４の配置位置につき高さ位置を違えたものであり、本例では、１対のオーバーフロー口４のうち一方のオーバーフロー口４を高い位置に配置すると共に、他方のオーバーフロー口４を低い位置に配置したものである。攪拌羽根３により攪拌される生ゴミ処理材は攪拌羽根３の回転方向によって生ゴミ処理槽１内で盛り上がり等の偏りが生じるものである（図５中Ｃ線は、生ゴミ処理槽１内に充填された生ゴミ処理材が攪拌羽根３による攪拌によって偏った状態になった際の上面を示すものである）が、異なる高さ位置に配置した複数個のオーバーフロー口４は上記偏った状態の生ゴミ処理材に合わせて配置でき、これにより、オーバーフロー口４から効率よく余剰の生ゴミ処理材等を生ゴミ処理槽１外に排出させることができるのである。
【００３０】
【発明の効果】
上記のように本発明の請求項１記載の生ゴミ処理装置にあっては、叙述したように、生ゴミ処理槽内で一体に回転する複数の可動刃を間隔を隔てて重ねるように回転軸に取り付け、回転した可動刃との間に生ゴミを挟んで破砕する複数の固定刃を間隔を隔てて重ねるように生ゴミ処理槽の内面に固定し、隣接する可動刃間若しくは隣接する固定刃間の隙間寸法を、短辺と長辺とを有した矩形状孔で構成したオーバーフロー口の開口幅の最小寸法となる上記短辺の長さよりも小さく形成したので、生ゴミ処理材に生息する微生物の働きで分解処理させるには難しく且つ比較的大きな形状を有する生ゴミを上記可動刃及び固定刃でオーバーフロー口の開口幅の最小寸法よりも小さい寸法に破砕できて、余剰の生ゴミ処理材と共にオーバーフロー口から生ゴミ処理槽外に排出させ、生ゴミ処理槽内に残留させないようにできるものであり、しかして、生ゴミ処理材に生息する微生物の働きで分解処理させるには難しく且つ比較的大きな形状を有する生ゴミが生ゴミ処理槽内に残留することで引き起こされる生ゴミの処理能力の低下を防ぐことができるのである。また、同時に、通常の微生物の働きで分解処理はできる生ゴミも上記可動刃及び固定刃で小さく破砕させることから、生ゴミの生ゴミ処理材との接触面積を大きくさせることができ、生ゴミの分解処理の効率を向上させることができるのである。
【００３１】
また、請求項２記載の生ゴミ処理装置にあっては、請求項１の効果に加えて、可動刃の回転軌跡である回転面に対して直交する方向から見て、固定刃に対する可動刃の刃部を外側程先行して回転するように固定刃に対して凹の円弧形状に形成したので、先行して回転する可動刃の刃部の外側部分が生ゴミ処理材中に混在する生ゴミを上記刃部の内側方向に引き寄せるように引掛けて収拾でき、すなわち多量の生ゴミを固定刃との間に引き寄せて効率よく破砕させることができるものである。
【００３２】
また、請求項３記載の生ゴミ処理装置にあっては、請求項２の効果に加え、可動刃の形状を、回転軸近傍及び外側端部近傍の部分が同方向に突出すると共に回転軸近傍と外側端部近傍との間の部分が凹むような弓板状に形成し、正逆回転自在に設けた回転軸を正回転で回転させたときには可動刃の凹曲面状の縁部分が固定刃に対面するようにし、上記正回転の作動頻度を逆回転の作動頻度に比べて多くしたので、正方向に回転する可動刃は生ゴミを引き寄せて固定刃との間で効率よく破砕できるものであり、生ゴミ処理装置の作動中に正回転の作動頻度を多くすることは、可動刃と固定刃による生ゴミの効率よい破砕を多い頻度で行わせるものであるから、生ゴミ処理装置の作動効率を向上させることができるのである。なお、回転軸を逆回転させることは、攪拌羽根による生ゴミ処理材の効率のよい攪拌を行わせることができ、生ゴミ処理材に生息する微生物による生ゴミの分解処理の効率を向上させることができるといった利点もある。
【００３３】
また、請求項４記載の生ゴミ処理装置にあっては、請求項１の効果に加えて、複数個のオーバーフロー口を生ゴミ処理槽の異なる高さ位置に設けたので、生ゴミ処理材を攪拌する攪拌羽根の回転方向によって生ゴミ処理材は生ゴミ処理槽内で盛り上がり等の偏りが生じるものであるが、上記生ゴミ処理材の生ゴミ処理槽内での偏りに合わせてオーバーフロー口を臨ませることができ、オーバーフロー口から余剰の生ゴミ処理材等を効率よく生ゴミ処理槽外に排出させることができるものである。
【００３４】
また、請求項５記載の生ゴミ処理装置にあっては、請求項１の効果に加えて、生ゴミ処理槽を開閉する蓋と、上記蓋による生ゴミ処理槽の閉塞を検知する蓋感知手段とを設け、上記蓋感知手段が蓋の生ゴミ処理槽の閉塞を検知したときから一定時間生ゴミの破砕頻度を多くさせる制御手段を設けたので、生ゴミ処理槽に生ゴミを投入した直後に集中して生ゴミの破砕を行わせることができ、すなわち未だ形状が大きいであろう生ゴミを集中的に破砕させることができ、生ゴミ処理装置の作動効率を向上させることができるのである。
【００３５】
また、請求項６記載の生ゴミ処理装置にあっては、請求項１の効果に加えて、可動刃を駆動させる駆動モータにかかる過負荷を検出する過負荷検出手段を設け、上記過負荷検出手段が検出する駆動モータの過負荷状態の一定時間内での頻度に応じて生ゴミの破砕頻度を設定する制御手段を設けたので、駆動モータの過負荷はすなわち可動刃及び固定刃の間で生ゴミが破砕されたときに発生するものであり、そして上記駆動モータの過負荷の頻度が多い場合は生ゴミ処理槽内に形状の大きな生ゴミが多数残っていることを示すものであるから、制御手段で過負荷検出手段が検出する駆動モータの過負荷状態の一定時間内での頻度に応じて生ゴミの破砕頻度を設定すると、生ゴミ処理槽内の形状の大きな生ゴミの残留状態に基いて生ゴミ処理装置を作動させて効率よく生ゴミの破砕を行わせることができることから、生ゴミ処理装置の作動効率を向上させることができるのである。
【００３６】
また、請求項７記載の生ゴミ処理装置にあっては、請求項１の効果に加えて、攪拌羽根及び可動刃の回転軌跡である回転面に対して直交する方向から見て、重ならないように攪拌羽根と可動刃とを回転軸の軸周にずらして配置したので、生ゴミ処理槽内の生ゴミ処理材や生ゴミから受ける回転軸への回転負荷を分散して回転軸に負荷させることができ、回転軸を回転させるのに必要な駆動モータのトルクの最大値を低減化させることができるものである。
【００３７】
また、請求項８記載の生ゴミ処理装置にあっては、請求項１の効果に加えて、攪拌羽根及び可動刃の回転軌跡である回転面に対して直交する方向から見て、可動刃に隣接して設けた攪拌羽根を可動刃に先んじて回転するように回転軸の軸周にずらして配置したので、攪拌羽根が通って密度が疎の状態になった生ゴミ処理材中に可動刃を通すように回転させることができ、可動刃にかかる回転負荷を低減させることができるものである。
【図面の簡単な説明】
【図１】本発明の実施の形態の例を示す斜視図である。
【図２】同上の上面図である。
【図３】同上の側面図である。
【図４】同上のオーバーフロー口を示す正面図である。
【図５】図１の固定刃及び可動刃の配置部分を拡大した部分拡大図である。
【図６】本発明の実施の形態の他例を示す正面図である。
【図７】同上の斜視図である
【図８】従来技術の例を示す斜視図である。
【符号の説明】
１  生ゴミ処理槽
２  回転軸
３  攪拌羽根
４  オーバーフロー口
５  可動刃
６  固定刃
７  駆動モータ
８  蓋
【図１】
0003873710.tif 000002
【図２】
0003873710.tif 000003
【図３】
0003873710.tif 000004
【図４】
0003873710.tif 000005
【図５】
0003873710.tif 000006
【図６】
0003873710.tif 000007
【図７】
0003873710.tif 000008
【図８】
0003873710.tif 000009